(57)【要約】【課題】  遊技盤の緩衝部材付近の打ち込み位置を広範囲にとり、遊技盤の緩衝部材付近の遊技球流下態様に変化を持たせ、遊技の興趣の向上を図る。【解決手段】  パチンコ遊技機１の遊技盤４には、緩衝部材１２がガイドレール１０に沿って設けられている。緩衝部材１２は案内管１４内に入れられ、その先端が案内管１４の端部から突出し、案内管１４内を摺動可能とされている。緩衝部材１２の尾部には操作ロッド１６の一端が取り付けられている。操作ロッド１６の他端には、案内管１４内を摺動可能なスライダ７ｂが繋がれている。スライダ７ｂにはレバー７ａが固定されている。これにより、操作者がレバー７ａを任意に操作することによって、緩衝部材１２の位置をガイドレール１０に沿って変更することができる。【選択図】  図３
2006238910.tif 000002
【特許請求の範囲】
【請求項１】
遊技球が流下する遊技盤を備えた遊技機であって、
前記遊技盤は、
前記遊技球が流下する遊技領域の外周に沿って前記遊技球を案内可能なガイドレールと、
前記ガイドレールに沿って案内された遊技球が衝突したときの衝撃を緩衝し、かつ前記ガイドレールに沿って摺動可能な緩衝部材と、
を有することを特徴とする遊技機。
【請求項２】
操作者が任意に操作することが可能であって、操作によって前記緩衝部材を摺動させる操作手段を更に備えたことを特徴とする請求項１記載の遊技機。
【発明の詳細な説明】
【技術分野】
【０００１】
本発明は、遊技球を跳ね返す緩衝部材の位置を移動可能なパチンコ遊技機等の遊技機に関する。
【背景技術】
【０００２】
従来、遊技盤の遊技領域に遊技球が発射されるパチンコ遊技機等の遊技機においては、遊技領域の左下端部から発射された遊技球に勢いがある場合、その遊技球は遊技領域上縁のガイドレールに沿って遊技領域右端部まで案内される。このような遊技球の勢いを減殺するために遊技領域の右端部には、「返しゴム」と呼ばれる緩衝部材が設けられている。この緩衝部材により遊技球の勢いは減殺され、遊技球は遊技領域中央部分に跳ね返される（この点については例えば特許文献１参照）。
【特許文献１】特開平８−３２２９８８号公報
【発明の開示】
【発明が解決しようとする課題】
【０００３】
しかしながら、従来、この緩衝部材により跳ね返された遊技球の跳ね返りの位置は限定されていた。また、遊技盤の緩衝部材付近における遊技球の流れは、遊技者が打ち込みの位置を任意に調節できる遊技盤左側や中央付近と比して画一的である。
【０００４】
また、緩衝部材があることにより遊技盤の緩衝部材付近の打ち込み位置は、緩衝部材の位置に限定され、遊技盤の緩衝部材付近の打ち込み位置を遊技者が任意に調整することはできない。これにより遊技者が遊技盤の緩衝部材付近における遊技球の転動や入賞を気にしながら遊技を行うことは少なく、そのことによって遊技の興趣に欠けるといった問題があった。
【０００５】
本発明は、かかる事情に鑑みてなされたものであり、その目的は、遊技盤の緩衝部材付近の打ち込み位置を広範囲にとり、遊技盤の緩衝部材付近の遊技球流下態様に変化を持たせ、遊技の興趣の向上を図ることにある。
【課題を解決するための手段】
【０００６】
本発明は、遊技球が流下する遊技盤を備えた遊技機であって、遊技盤は、遊技球が流下する遊技領域の外周に沿って遊技球を案内可能なガイドレールと、ガイドレールに沿って案内された遊技球が衝突したときの衝撃を緩衝し、かつガイドレールに沿って摺動可能な緩衝部材と、を有することを特徴とする。
【０００７】
この構成によれば、緩衝部材がガイドレールに沿って摺動可能なので、緩衝部材に遊技球が衝突する位置を変動させることができ、遊技盤の緩衝部材付近における打ち込み位置を広範囲にし、遊技球の流下態様に変化を持たせることができる。
【０００８】
この場合、操作者が任意に操作することが可能であって、操作によって緩衝部材を摺動させる操作手段を更に備えることが好適である。この構成によれば、遊技者あるいは遊技場のホールスタッフ等の操作者が操作手段を操作することにより、緩衝部材をガイドレールに沿って摺動させて、緩衝部材に遊技球が衝突する位置を変動させることができる。
【発明の効果】
【０００９】
本発明による遊技機によれば、遊技盤の緩衝部材付近の打ち込み位置を広範囲にとり、遊技盤の緩衝部材付近の遊技球流下態様に変化を持たせ、遊技の興趣の向上を図ることができる。
【発明を実施するための最良の形態】
【００１０】
以下、本発明の好適な実施形態について図面を参照しながら説明する。なお、図面の説明において、同一または相当要素には同一の符号を付し、重複する説明は省略する。図１は本発明の実施形態に係るパチンコ遊技機を正面側から示す斜視図、図２はパチンコ遊技機の正面図である。
【００１１】
図１および図２に示すパチンコ遊技機１は、遊技場（ホール）の遊技島に収容されて設置される外枠２を備えている。外枠２の正面側には、図２に示す遊技盤４が組み込まれている。遊技盤４には、遊技状態において遊技球が流下する領域となる遊技領域４ａが形成されている。また、外枠２の正面には、フロント扉５が設けられている。フロント扉５は、遊技盤４の正面を覆うとともに、外枠２の正面側に回動可能に設置されている。
【００１２】
フロント扉５は、その中央の略全域にガラス板５ａを備え、その内側の遊技盤４が視認可能な構成とされている。また、フロント扉５の下側には、皿パネル６が設置されている。この皿パネル６の正面側には、遊技球を受け止める上皿６ａと、この上皿６ａの満杯時に球出口６ｄの内方で溢れた遊技球を受け止める下皿６ｂと、この下皿６ｂの右側に設けられた発射ハンドル６ｃと、が配置されている。
【００１３】
発射ハンドル６ｃは、上皿６ａに受け止められている遊技球を発射するためのもので、皿パネル６に対して回動自在に設けられ、遊技者は発射ハンドル６ｃを操作することによりパチンコ遊技を進めることができる。この発射ハンドル６ｃが遊技者によって握持され、かつ、時計回り方向へ回動操作されたときに、その回動角度に応じて、発射ハンドル６ｃの背面側に設けられた発射モータに電力が供給され、遊技球が遊技盤４に順次発射される。
【００１４】
発射された遊技球は、遊技領域４ａの外周に沿って湾曲した形状を有するガイドレール１０により案内され、遊技領域の外周に沿って遊技盤４の上部に移動し、その後、遊技領域４ａに設けられた不図示の遊技釘等との衝突によりその進行方向を変えながら遊技盤４の下方に向かって流下する。
【００１５】
遊技盤４には、遊技状態において遊技球が流下する領域となる遊技領域４ａが形成されており、この遊技領域４ａ内に、遊技球の流下方向を変更させる不図示の遊技釘が設けられている。また、図２に示すように、遊技領域４ａ上には、普通図柄作動ゲート２０，２２、一般入賞口２３，２４をはじめとする種々の入賞口やゲートが設けられ、流下した遊技球が通過又は入賞することによって様々なパチンコ遊技が行えるようになっている。
【００１６】
さらに遊技盤４の右側には、ガイドレール１０によって案内された遊技球が衝突するように、緩衝部材１２がガイドレール１０に沿って設けられている。緩衝部材１２は、遊技球が衝突したときの衝撃を緩衝して、遊技球を跳ね返すことができるようなゴム等の弾性体から成る。さらに緩衝部材１２は、ガイドレール１０に沿って摺動可能とされている。
【００１７】
また、図１および２に示すように、発射ハンドル６ｃの上側には、操作部７（操作手段）が設けられている。操作部７には、遊技者あるいは遊技場のホールスタッフ等の操作者が操作するためのレバー７ａが設けられている。このレバー７ａは所定の摺動範囲内において上下に移動可能であって、操作者がその摺動範囲内で任意に上下に移動させることができる。これにより、緩衝部材１２をガイドレール１０に沿って摺動させることができるようになっている。
【００１８】
図３は、本発明の実施形態に係る緩衝部材の動作に係る機構を示す図である。図３に示すように、遊技盤４の緩衝部材１２は案内管１４の管内に入れられ、その先端が案内管１４の端部から突出している。緩衝部材１２は案内管１４の管内を摺動可能とされている。案内管１４の先端部分と、緩衝部材１２は、それぞれ形状がガイドレール１０に沿う湾曲形状になっている。緩衝部材１２の尾部には、弾力性を有し湾曲可能な棒材である操作ロッド１６の一端が取り付けられている。操作ロッド１６は案内管１４の管内を通るように配置されている。操作ロッド１６の他端には、案内管１４の管内を摺動可能なスライダ７ｂが取り付けられている。スライダ７ｂには前述のレバー７ａが固定されており、図１および図２に示すように、操作者が任意に操作できるように、皿パネル６の前面から手前に突出している。
【００１９】
そして、操作者がレバー７ａを上下に動かすと、レバー７ａが固定されたスライダ７ｂが案内管１４内を上下に摺動する。スライダ７ｂの動きは、操作ロッド１６により緩衝部材１２に伝達され、緩衝部材１２も案内管１４の端部でガイドレール１０に沿って摺動する。したがって、このような構成により、操作者がレバー７ａを任意に操作することによって、緩衝部材１２を摺動させることができ、緩衝部材１２の位置をガイドレール１０に沿って変更することができる。
【００２０】
以下、本実施形態のパチンコ遊技機の作用について説明する。図４は、本実施形態に係る緩衝部材に跳ね返される遊技球の動きを示す図であり、図５は、従来のパチンコ遊技機の緩衝部材に跳ね返される遊技球の動きを示す図である。図５に示すように、従来のパチンコ遊技機においては、緩衝部材１２の位置は固定されているため、遊技盤４の緩衝部材１２付近の打ち込み位置は緩衝部材１２の位置に限定される。例えば、図５に示すように、緩衝部材１２付近の普通図柄作動ゲート２２めがけて遊技球１００を打ち込むことは難しい。そのため、遊技者が緩衝部材１２付近の普通図柄作動ゲート２２を気にして遊技を行うことは少なく、遊技の興趣に欠ける。
【００２１】
一方、本実施形態のパチンコ遊技機においては、図４に示すように、遊技者が緩衝部材１２の位置を破線で示す位置から実線で示す位置へ摺動させることができ、緩衝部材１２の位置をガイドレール１０に沿って変更することができる。これにより、緩衝部材１２により跳ね返される遊技球１００の流下態様は、遊技球１００の打ち込まれる方向から離間させる位置（破線で示す位置から実線で示す位置）に変化させることができる。したがって、従来のパチンコ遊技機よりも、緩衝部材１２付近の普通図柄作動ゲート２２に遊技球１００を打ち込むことが容易となるため、緩衝部材１２付近の普通図柄作動ゲート２２もパチンコ遊技に活用し易くなり、遊技の興趣を高めることができる。
【００２２】
以上のように本実施形態のパチンコ遊技機では、緩衝部材がガイドレールに沿って摺動可能な構成としたので、遊技盤の緩衝部材付近における遊技球の流下態様に変化を持たせ遊技性の向上を図ることが可能となる。また、緩衝部材付近の打ち込み位置を広範囲にとることができるようになり、従来であれば遊技球が到達することのなかった領域でも遊技球が転動するので、遊技者は新鮮さを感じながら遊技を行うことができ、遊技盤の緩衝部材付近における遊技性を向上させることが可能となる。
【００２３】
また本実施形態のパチンコ遊技機では、緩衝部材を摺動させることが可能な手段を設けたので、緩衝部材の位置を任意に変更させることができる。これにより、遊技者は発射の強度を変えることにより打ち込み位置を調整できるとともに、緩衝部材の位置によっても打ち込み位置（遊技球の跳ね返り位置）を任意に調整できるので、遊技における技術介入性が向上し面白みが増す。また、ホール側にとっては遊技釘の調整以外にも出玉調整の手段が得られることになる。
【００２４】
尚、本発明の遊技機は、上記した実施の形態に限定されるものではなく、本発明の要旨を逸脱しない範囲内において種々変更を加え得ることは勿論である。例えば、上記実施形態においては、緩衝部材をレバーと操作ロッドにより摺動させたが、緩衝部材をレバーとロッド以外の機械的な操作手段によって摺動させることもできる。あるいは、ソレノイド等の電磁気的な操作手段によって、緩衝部材を摺動させることもできる。
【図面の簡単な説明】
【００２５】
【図１】本発明の実施形態に係るパチンコ遊技機の斜視図である。
【図２】本発明の実施形態に係るパチンコ遊技機の正面図である。
【図３】本発明の実施形態に係る緩衝部材の動作に係る機構を示す図である。
【図４】本発明の実施形態に係る緩衝部材に跳ね返される遊技球の動きを示す図である。
【図５】従来のパチンコ遊技機の緩衝部材に跳ね返される遊技球の動きを示す図である。
【符号の説明】
【００２６】
１…パチンコ遊技機、２…外枠、４…遊技盤、４ａ…遊技領域、５…フロント扉、５ａ…ガラス板、６…皿パネル、６ａ…上皿、６ｂ…下皿、６ｃ…発射ハンドル、６ｄ…球出口、７…操作部、７ａ…操作レバー、７ｂ…スライダ、１０…ガイドレール、１２…緩衝部材、１４…案内管、１６…操作ロッド、２０，２２…普通図柄作動ゲート、２３，２４…一般入賞口、１００…遊技球。
【図１】
2006238910.tif 000003
【図２】
2006238910.tif 000004
【図３】
2006238910.tif 000005
【図４】
2006238910.tif 000006
【図５】
2006238910.tif 000007